(57)【特許請求の範囲】
【請求項１】
下水道本管と整流マスと縦管とを有する下水道装置であって、前記整流マスの入口には下水道本管が接続され、整流マス内部では管路が２以上に分岐され、該分岐部には脱着可能な分流堰が設けられ、整流マスの分岐された管路の出口にそれぞれ縦管が複数本接続されていることを特徴とする下水道装置。
【請求項２】
下水道本管と整流マスと縦管とから構成される下水道装置であって、前記整流マスの入口には下水道本管が接続され、整流マスの出口には前記縦管が接続され、この縦管は外管と内管の二重構造となされ、この内管は内面に流路の一部を遮蔽する遮蔽板を有する複数個の短管が遮蔽板をジグザグ状にして連結されたものであることを特徴とする下水道装置。
【請求項３】
下水道本管と整流マスと縦管とから構成される下水道装置であって、前記整流マスの入口には下水道本管が接続され、整流マスの出口には前記縦管が接続され、この縦管は中央部が曲がっている曲がり短管が複数個連結されたものであることを特徴とする下水道装置。
【請求項４】
請求項３記載の下水道装置であって、曲がり短管の長さが構造物の各階の階高の長さとほぼ同じで、この曲がり短管の接続部が各階のフロア−近傍に設けられていることを特徴とする下水道装置。
【発明の詳細な説明】
【０００１】
【産業上の利用分野】
本発明は、自然流下式の下水道縦管部分に使用して好適な下水道装置に関する。
【０００２】
【従来の技術】
従来の下水道装置では、例えば、実開平４−５３８４２号公報に記載されているように、マンホ−ルの側壁からマンホ−ル内に突出された流入管の一端に曲がり管を介して縦管の上端を接続し、縦管の下端をマンホ−ル内の底部に開口する。そして流入管から流入された下水を縦管によりマンホ−ル内の底部に導入することが知られている。
【０００３】
【発明が解決しようとする課題】
しかしながら、このような従来の下水道装置では、マンホ−ル内に設けられる縦管が長い場合には、縦管下端から流出される下水の落下衝撃が大きいためにマンホ−ルの底部を破損する恐れがある。
特に、地下の高深度利用の場合には、例えば、マンホ−ル内の底部が地表面からおよそ５０ｍの深度に達することがあり、このような場合には、縦管が当然長くなり、マンホ−ルの底部を破損する危険が一層高まる。
更に、縦管が閉塞したり、損傷した時、掃除等の維持管理が必要となるが、前述の従来技術の管路では、高深度になればなる程、困難になる。
そこで、本発明の目的は、上記問題に着目してなされたもので、従来の問題点を解決し、縦管が長い場合にも下水の落下衝撃によりマンホ−ルの底部を破損したりする恐れのない維持管理の容易な下水道装置を提供するにある。
【０００４】
【問題を解決するための手段】
本発明は上記の目的を達成するためになされたもので、請求項１記載の発明は、下水道本管と整流マスと縦管とを有する下水道装置であって、前記整流マスの入口には下水道本管が接続され、整流マス内部では管路が２以上に分岐され、該分岐部には脱着可能な分流堰が設けられ、整流マスの分岐された管路の出口にそれぞれ縦管が複数本接続されているものである。
【０００５】
又、請求項２記載の発明は、下水道本管と整流マスと縦管とから構成される下水道装置であって、前記整流マスの入口には下水道本管が接続され、整流マスの出口には前記縦管が接続され、この縦管は外管と内管の二重構造となされ、この内管は内面に流路の一部を遮蔽する遮蔽板を有する複数個の短管が遮蔽板をジグザグ状にして連結されたものである。
【０００６】
又、請求項３記載の発明は、下水道本管と整流マスと縦管とから構成される下水道装置であって、前記整流マスの入口には下水道本管が接続され、整流マスの出口には前記縦管が接続され、この縦管は中央部が曲がっている曲がり短管が複数個連結されたものである。
【０００７】
又、請求項４記載の発明は、請求項３記載の下水道装置であって、曲がり短管の長さが構造物の各階の階高の長さとほぼ同じで、この曲がり短管の接続部が各階のフロア−近傍に設けられているものである。
【０００８】
請求項１、２記載の本発明において、縦管本体及び縦管の外管の材質としては、特に限定されたものではないが、例えば、硬質塩化ビニル樹脂、ＦＲＰ、ポリカ−ボネ−ト等の合成樹脂の他に、ＦＲＰとモルタルとの積層体である所謂ＦＲＰＭや、合成樹脂とセメント等との複合材や、鉄筋で補強されたコンクリ−ト等が好適に使用できる。
【０００９】
請求項２、３、４記載の本発明において、縦管の内管に用いられる短管、遮蔽板を有する短管及び曲がり短管の材質としては、特に限定されたものではないが、例えば、硬質塩化ビニル樹脂、ポリエチレン、ポリプロピレン等の合成樹脂が好適に使用できる。
【００１０】
【作用】
請求項１記載の発明では、下水道本管と整流マスと縦管とを有する下水道装置であって、前記整流マスの入口には下水道本管が接続され、整流マス内部では管路が２以上に分岐され、該分岐部には脱着可能な分流堰が設けられ、整流マスの分岐された管路の出口にそれぞれ縦管が複数本接続されているから、縦管内が詰まったときは、脱着可能な分流堰を詰まった縦管への分岐管路の脱着可能な分流堰用の溝に差し込んで、下水を他方の縦管に流すことにより、詰まった縦管を下水が流れなくなり、詰まった縦管内を掃除したりして維持管理ができる。
【００１１】
請求項２記載の発明では、下水道本管と整流マスと縦管とから構成される下水道装置であって、前記整流マスの入口には下水道本管が接続され、整流マスの出口には前記縦管が接続され、この縦管は外管と内管の二重構造となされ、この内管は複数個の短管で形成されているから、短管内が下水により詰まった時は短管を縦管の外管から引き上げて掃除したりして維持管理ができる。
又、この内管は内面に流路の一部を遮蔽する遮蔽板を有する短管が遮蔽板をジグザグ状にして連結されているから、下水は縦管内を落下途中において遮蔽板に衝突して緩衝され、マンホ−ルの底部を破損する恐れが少ない。
【００１２】
請求項３記載の発明では、下水道本管と整流マスと縦管とから構成される下水道装置であって、前記整流マスの入口には下水道本管が接続され、整流マスの出口には前記縦管が接続され、この縦管は中央部が曲がっている曲がり短管が複数個連結されているから、下水は縦管内を落下途中においてジグザグ状に連結された曲がり短管により緩衝され、マンホ−ルの底部を破損する恐れが少ない。
【００１３】
請求項４記載の発明では、請求項３記載の下水道装置であって、曲がり短管の長さが構造物の各階の階高の長さとほぼ同じで、この曲がり短管の接続部が各階のフロア−近傍に設けられているから、短管内が下水により詰まった時は曲がり短管を縦管から取り外して掃除したりして維持管理ができる。この際、接続部がフロア−近傍に設けられているから、曲がり短管を縦管から取り外したり接続し易い。
【００１４】
【実施例】
本発明の実施例を図１〜図４に基づいて説明する。
図１は本発明の下水道装置の一例を示す断面図、図２は本発明の下水道装置の一例を示す断面図、図３は本発明の下水道装置の一例を示す背面図、図４は止め板の断面図である。
【００１５】
図１において、Ｈは下水道装置であり、下水道装置Ｈは下水道本管１と整流マス２と縦管本管３と縦管補助管４とから構成されている。
下水道本管１と整流マス２はコンクリ−ト製であり、縦管本管３と縦管補助管４は硬質塩化ビニル樹脂製である。
整流マス２の入口にはほぼ水平な下水道本管１が接続され、整流マス２内部では管路が２つに分岐され、分岐された管路の入口付近傍にそれぞれ止め板用溝６が設けられ、分岐された管路のどちらか一方の止め板用溝６に止め板５が差し込まれて管路が堰止められ、整流マス２の分岐された管路の出口にそれぞれほぼ垂直な縦管本管３と縦管補助管４とが接続されている。
７は地下に構築された地下構造物であり、地下構造物７の上部に整流マス２が設けられている。
これらの縦管本管３と縦管補助管４とは地下構造物７で支持されている。
【００１６】
本実施例の作用を説明する。
下水道本管１から流入される下水は整流マス２に入る。
整流マス２の内部は縦管本管３用の管路と縦管補助管４用の管路とに分岐されており、通常は、縦管補助管４を止め板５で止めて、整流マス２に入った下水は縦管本管３へと管壁に沿ってスム−ズに流れるようにしている。
このようになっているから、縦管本管３内が下水により詰まったときは、止め板５を縦管本管３への分岐管路の止め板用溝６に差し込んで、下水を縦管補助管４に流すことにより、縦管本管３内を下水が流れなくなり、縦管本管３内の詰まりを掃除したりして維持管理ができる。
【００１７】
本発明の他の実施例を図５に基づいて説明する。
図５は本発明の下水道装置の一例を示す断面図である。
図５において、Ｈ１は下水道装置であり、この下水道装置Ｈ１は下水道本管１と整流マス２１と縦管３１とから構成されている。
下水道本管１と整流マス２１はコンクリ−ト製であり、縦管３１は硬質塩化ビニル樹脂製である。
整流マス２１入口にはほぼ水平な下水道本管１が接続され、整流マス２１の出口にほぼ垂直な縦管３１が接続されている。
この縦管３１は外管３１１と内管３１２の二重構造となされ、この内管３１２は複数個の短管１０が連結され形成されている。
この短管１０は短管１０内の流路のほぼ半分を遮蔽する遮蔽板１１がほぼ水平に張り出して一体に設けられている。各短管１０の遮蔽板１１は外管３１１内においてジグザグ状に配置されている。
【００１８】
本実施例の作用を説明する。
下水道本管１から流入される下水は整流マス２１に入る。
整流マス２１の垂直下部に接続された縦管３１は、外管３１１と内管３１２の二重構造となされ、内管３１２は複数個の短管１０が連結され形成され、この短管１０の内部には遮蔽板１１がジグザグ状に配置されているので、整流マス２１に入ってきた下水は矢印で示すようにジグザグ状に流下する。
このようになっているから、下水は内管３１２内を落下途中において遮蔽板１１により緩衝され、落下衝撃を少なくすることができ、マンホ−ルの底部を破損する恐れが少ない。
又、内管３１２内が下水により詰まったときは、短管１０を引き上げて掃除したりして維持管理ができる。
【００１９】
本発明の別の実施例を図６に基づいて説明する。
図６は本発明の下水道装置の一例を示す断面図である。
図６において、Ｈ２は下水道装置であり、下水道装置Ｈ２は下水道本管１と整流マス２２と縦管３２とから構成されている。
下水道本管１と整流マス２２はコンクリ−ト製であり、縦管３２は硬質塩化ビニル樹脂製である。
【００２０】
整流マス２２の入口にはほぼ水平な下水道本管１が接続され、整流マス２２の出口にほぼ垂直下部に縦管３２が鍔１３により接続されているものである。
縦管３２は複数個の中央部が曲がっている曲がり短管１２が連結され構成されている。
この中央部が曲がっている曲がり短管１２の曲部が構造物の壁に支持具３３で取り付けられて、曲がり短管１２が支持されている。
この曲がり短管１２の長さは構造物の各階の階高の長さとほぼ同じで、曲がり短管１２同士は鍔１４により各階のフロア−近傍で接続されている。
【００２１】
本実施例の作用を説明する。
下水道本管１から流入される下水は整流マス２２に入る。
整流マス２２の垂直下部に接続された縦管３２は、複数個の中央部が曲がった短管１２が連結され、この曲がり短管１２の曲部が構造物の壁に支持具３３で取り付けられて、曲がり短管１２が支持されているので、整流マス２２に入ってきた下水は矢印で示すようにジグザグ状に流下する。
このようになっているから、下水は縦管３２内を落下途中において中央部が曲がっている曲がり短管１２により緩衝され、落下衝撃を少なくすることができ、マンホ−ルの底部を破損する恐れが少ない。
又、この曲がり短管１２の長さは構造物の各階の階高の長さとほぼ同じで、曲がり短管１２同士は鍔１４により各階のフロア−近傍で接続されているので、縦管３２内が下水により詰まったときは、各階のフロア−毎に中央部が曲がっている曲がり短管１２を取り外して簡単に掃除したりして維持管理ができる。
【００２２】
以上、本発明の実施例を図面により詳述してきたが、具体的な構成はこの実施例に限られるものではなく、本発明の要旨を逸脱しない範囲における設計変更等があっても本発明に含まれる。
例えば、請求項２の中で、縦管３１が二重構造になり、外管３１１、内管３１２が共に円筒形であったが、外管３１１が四角形で内管３１２が円筒形でもよい。
又、短管１０内の流路のほぼ半分を遮蔽する遮蔽板１１がほぼ水平に張り出して一体に設けられているが、斜め下向きに張り出すようにして、下水が流れやすくしてもよい。
【００２３】
【発明の効果】
以上のとおり、請求項１記載の発明では、下水道本管と整流マスと縦管とを有する下水道装置であって、前記整流マスの入口には下水道本管が接続され、整流マス内部では管路が２以上に分岐され、該分岐部には脱着可能な分流堰が設けられ、整流マスの分岐された管路の出口にそれぞれ縦管が複数本接続されているから、縦管内が詰まったときは、脱着可能な分流堰を詰まった縦管への分岐管路の脱着可能な分流堰用の溝に差し込んで、下水を他方の縦管に流すことにより、詰まった縦管を下水が流れなくなり、詰まった縦管内を掃除したりして維持管理ができる。
【００２４】
請求項２記載の発明では、下水道本管と整流マスと縦管とから構成される下水道装置であって、前記整流マスの入口には下水道本管が接続され、整流マスの出口には前記縦管が接続され、この縦管は外管と内管の二重構造となされ、この内管は複数個の短管で形成されているから、短管内が下水により詰まった時は短管を縦管の外管から引き上げて掃除したりして維持管理ができる。
又、この内管は内面に流路の一部を遮蔽する遮蔽板を有する短管が遮蔽板をジグザグ状にして連結されているから、下水は縦管内を落下途中において遮蔽板に衝突して緩衝され、マンホ−ルの底部を破損する恐れが少ない。
【００２５】
請求項３記載の発明では、下水道本管と整流マスと縦管とから構成される下水道装置であって、前記整流マスの入口には下水道本管が接続され、整流マスの出口には前記縦管が接続され、この縦管は中央部が曲がっている曲がり短管が複数個連結されているから、下水は縦管内を落下途中においてジグザグ状に連結された曲がり短管により緩衝され、マンホ−ルの底部を破損する恐れが少ない。
【００２６】
請求項４記載の発明では、請求項３記載の下水道装置であって、曲がり短管の長さが構造物の各階の階高の長さとほぼ同じで、この曲がり短管の接続部が各階のフロア−近傍に設けられているから、短管内が下水により詰まった時は曲がり短管を縦管から取り外して掃除したりして維持管理ができる。この際、接続部がフロア−近傍に設けられているから、曲がり短管を縦管から取り外したり接続し易い。
【図面の簡単な説明】
【図１】本発明の下水道装置の一例を示す断面図である。
【図２】本発明の下水道装置の一例を示す断面図である。
【図３】本発明の下水道装置の一例を示す背面図である。
【図４】止め板の断面図である。
【図５】本発明の下水道装置の一例を示す断面図である。
【図６】本発明の下水道装置の一例を示す断面図である。
【符号の説明】
Ｈ、Ｈ１、Ｈ２      下水道装置
１                  下水道本管
２、２１、２２      整流マス
３                  縦管本管
３１、３２          縦管
３１１              外管
３１２              内管
４                  縦管補助管
５                  止め板
６                  止め板用溝
７                  地下構造物
１０                短管
１１                遮蔽板
１２                中央部が曲がった短管
１３、１４          鍔
【図１】
0003566386.tif 000002
【図２】
0003566386.tif 000003
【図３】
0003566386.tif 000004
【図４】
0003566386.tif 000005
【図５】
0003566386.tif 000006
【図６】
0003566386.tif 000007